(57)【要約】      （修正有）【課題】広ダイナミックレンジで記録された画像毎に、最適なガンマ補正を行いカメラ本体に付属した小型モニタに画像表示を行う事ができる撮像装置及び表示装置を提供する。【解決手段】記録映像を表示手段に再生表示するための再生手段と、記録映像からメタデータを取得し、取得したメタデータより記録映像のダイナミックレンジ情報を取得するダイナミックレンジ取得手段と、表示手段のガンマ特性を変化させることにより、階調補正を行うガンマ補正手段を備える。ダイナミックレンジ取得手段が取得したダイナミックレンジ情報により、ガンマ補正手段が、表示手段の中間調部分の階調補正を行い、さらにダイナミックレンジの違いによる色度のずれを補正するホワイトバランス変更手段とを備える。【選択図】図３
2018056611.tif 000002
【特許請求の範囲】
【請求項１】
装置本体と、
映像表示を行う表示手段と、
記録映像を前記表示手段に再生表示する再生手段と、
記録映像からメタデータを検出し記録映像のダイナミックレンジを判定するダイナミックレンジ判定手段と、
前記表示手段のガンマ特性を変化させることにより、階調補正を行うガンマ補正手段を備え、
前記ダイナミックレンジ判定手段が判定したダイナミックレンジ情報により、前記ガンマ補正手段が、前記表示手段の中間調部分の階調補正を行うことを特徴とする表示装置。
【請求項２】
前記表示手段のホワイトバランス変更するホワイトバランス変更手段を備え、
前記ダイナミックレンジ判定手段が判定したダイナミックレンジ情報により、前記ホワイトバランス変更手段が、前記表示手段のホワイトバランスを変更することを特徴とする請求項１に記載の表示装置。
【請求項３】
前記ダイナミックレンジ判定手段が判定したダイナミックレンジ情報により、前記ガンマ補正手段が、前記表示手段の高階調部分の階調補正を行うことを特徴とする請求項１に記載の表示装置。
【請求項４】
前記記録映像は一部のコントラストを圧縮することをせずに入出力特性がリニアとなるカメラガンマ特性で記録されたものであることを特徴とする請求項１に記載の表示装置。
【発明の詳細な説明】
【技術分野】
【０００１】
本発明は、被写体を撮像する撮像装置及び表示装置に関する。
【背景技術】
【０００２】
近年、画像・映像の出力機器性能が上がり、実被写体に近い広ダイナミックレンジを表現することが可能なテレビやディスプレイが開発されている。そこで、映像制作やテレビ開発の現場でカメラが捉える広いダイナミックレンジを、そのまま映像信号にのせる技術が進んでいる。それにともない広ダイナミックレンジで撮影可能なカメラの普及が増えてきている。具体的には中輝度〜高輝度領域を圧縮して記録していたものを圧縮せず輝度リニアに記録する。このように広ダイナミックレンジで撮影した画像を表示するには、ピーク輝度が高く、コントラストの高いダイナミックレンジが広い大型モニタが必要となる。
【０００３】
しかしカメラ本体に付属した小型モニタはダイナミックレンジが狭いため、輝度リニアの画像を表示すると画面全体が暗い表示になってしまう。そのため、カメラ本体に付属した小型モニタは広ダイナミックレンジ記録の場合はガンマ補正を行い中間調を持ち上げ、輝度をあげて視認性を確保する提案がされている（特許文献１参照）。
【先行技術文献】
【特許文献】
【０００４】
【特許文献１】特開２００７−２２８０４８号公報
【発明の概要】
【発明が解決しようとする課題】
【０００５】
しかしながら、上記従来例では、広ダイナミックレンジで記録している場合は記録しているダイナミックレンジに合わせて最適なガンマ補正が行われるが、再生する場合は他のカメラで異なるダイナミックレンジで記録された画像を再生することも可能となり、最適のガンマ補正を行う事が困難である。
【０００６】
本発明は、広ダイナミックレンジで記録された画像毎に、最適なガンマ補正を行いカメラ本体に付属した小型モニタに画像表示を行う事ができる撮像装置及び表示装置を提供することを目的とする。
【課題を解決するための手段】
【０００７】
上記の目的を達成するために、本発明に係る表示装置は、
装置本体と、映像表示を行う表示手段と、記録映像を前記表示手段に再生表示する再生手段と、記録映像からメタデータを検出し記録映像のダイナミックレンジを判定するダイナミックレンジ判定手段と、前記表示手段のガンマ特性を変化させることにより、階調補正を行うガンマ補正手段を備え、前記ダイナミックレンジ判定手段が判定したダイナミックレンジ情報により、前記ガンマ補正手段が、前記表示手段の中間調部分の階調補正を行うことを特徴とする。
【発明の効果】
【０００８】
本発明に係る表示装置によれば、異なる広ダイナミックレンジで記録された画像を再生する際もメタデータのダイナミックレンジ情報を取得することにより、広ダイナミックレンジで記録された画像毎に、最適なガンマ補正を行いカメラ本体に付属した小型モニタに画像表示を行うことができる。
【図面の簡単な説明】
【０００９】
【図１】本発明の実施例における撮像装置の構成を示すブロック図である。
【図２】本発明の実施例における撮像装置の構成を示すブロック図である。
【図３】本発明の実施例における動作を説明するフローチャート図である。
【図４】本発明の実施例におけるダイナミックレンジを説明する図である。
【図５】本発明の実施例におけるガンマ特性を説明する図である。
【発明を実施するための形態】
【００１０】
以下、本発明を実施するための形態について、図面を参照しながら説明する。
＜本発明の実施形態＞
本発明の実施例による撮像装置のシステム制御の構成について説明する。図１に、本発明の実施例におけるビデオカメラにおけるシステム制御の構成を説明する回路ブロック図を示す。システム制御部１０１には、電源スイッチ１１２、操作スイッチ１１３、液晶表示部１０５、メモリ１１４が接続する。
【００１１】
電源スイッチ１１２はカメラの電源をオン／オフ操作する切替スイッチである。操作スイッチ１１３はカメラを操作するためのスイッチである。液晶表示部１０５は撮影映像や再生映像を表示可能な液晶パネル１０７と液晶パネル１０７の前面に配置されるタッチパネル１０６と、液晶パネル１０７を背面側がら照射するバックライト１０８からなる。タッチパネル１０６は、ビデオカメラの設定を表示画面上で行うためのメニュー操作や再生操作や、ユーザーが画面上をタッチした位置情報を検知する。システム制御部１０１は、バックライト１０８の電流制御する電源回路１０９を介して、バックライト１０８の輝度を制御する。
【００１２】
映像・音声入力部１０２は、レンズによる被写体光学像を画像信号に変換し、所定形式の映像信号を出力する撮像部と、音声を入力するマイク等の音声入力手段からなる。映像・音声信号処理部１０３は、映像・音声入力部１０２からの映像信号にノイズリダクション処理や信号レベルを一定にコントロールするＡＧＣなどの各種信号処理を行う。これらの処理を行ったアナログ信号は、図示しないＡ／Ｄ変換部によってデジタル信号へ変換されてデジタル信号処理部１１０に供給される。
【００１３】
デジタル信号処理部１１０は映像・音声信号処理部１０３からの信号に対してフォーマット変換やリサイズ処理、ＯＳＤ重畳を行い、パネル信号処理部１１１に供給する。撮影者が録画操作を行うと、システム制御部１０１は、デジタル信号処理部１１０からの映像音声信号を記録再生部１０４に転送し、図示しない記録媒体に記録させる。メタデータ生成部１１５は記録媒体に記録される映像データに記録した映像のダイナミックレンジ情報をメタデータとして入力する。メモリ１１４は、ビデオカメラに内蔵され、デジタル信号処理１１０で処理をする際に一時的にデータを記録する。パネル信号処理部１１１は液晶パネル１０７へ供給する映像信号に対し後述に説明する信号処理を行う。
【００１４】
次に、パネル信号処理１１１について説明する。図２はパネル信号処理回路のブロック図を示す。Ｇａｉｎ／シャープネス補正部２０１は輝度信号（Ｙ信号）に対して信号レベルを調整するゲイン調整、エッジ強調を行うシャープネス補正処理を行う。Ｇａｉｎ／色補正部２０２は色差信号（Ｃｂ／Ｃｒ信号）に対してゲイン調整、彩度や色相を調整する色補正処理を行う。
【００１５】
マトリクス回路２０３は輝度信号と色差信号を一次元マトリクス演算処理にてＲＧＢ信号に変換する。ガンマ補正部２０４ではＲＧＢそれぞれの信号に対してガンマ補正を行う。ガンマ補正には格納されたガンマ特性を示すＬＵＴ（ルックアップテーブル）を使用し、階調変換を行う。ＷＢ補正部２０５ではＲＧＢそれぞれの信号に対して、ブライト補正処理、コントラスト補正処理を行いホワイトバランス補正を行う。
【００１６】
次に、本発明の実施例におけるビデオカメラの動作について説明する。以下、フローチャートと図を参照して、本発明の実施例における、被写体を撮像する撮像装置及び表示装置において、広ダイナミックレンジで記録された画像毎に最適なガンマ補正を行う方法について説明する。
【００１７】
図３は実施例における撮像装置の動作を示すフローチャートである。電源スイッチ１１２を操作することによりビデオカメラに電源が供給される。操作スイッチ１１３を操作し再生モードに設定する。Ｓ３０１では液晶表示部１０５に表示された再生画像リストよりタッチパネル１０６を操作し、再生画像を選択し記録再生部１０４が再生を開始する。Ｓ３０２ではシステム制御部１０１が再生画像データよりメタデータを取得する。Ｓ３０３ではシステム制御部１０１が取得したメタデータよりダイナミックレンジ情報を取得する。
【００１８】
前記ダイナミックレンジ情報について図４を用いて説明する。図４に、ダイナミックレンジが異なるカメラガンマを示す。スタンダート撮影のＢＴ．７０９は通常のＢＴ．７０９ガンマ特性でカメラ入力の被写体輝度１１８％までをＩＲＥ１０９に収めており、表示モニタに輝度リニアで表示する。広ダイナミックレンジ撮影モードのＢＴ．７０９（３００％）は被写体輝度３００％までを輝度リニアに表示できるようにＩＲＥ１０９に収めたガンマ特性である。広ダイナミックレンジ撮影モードのＢＴ．７０９（４００％）は被写体輝度４００％までを輝度リニアに表示できるようにＩＲＥ１０９に収めたガンマ特性である。
【００１９】
ビデオカメラにより広ダイナミックレンジ撮影の被写体輝度（％）が異なる。ビデオカメラは記録時にダイナミックレンジ情報をメタデータとして入力している。メタデータのダイナミックレンジ情報にはカメラ入力レンジである被写体輝度（％）が入力されている。Ｓ３０４ではシステム制御部１０１が取得したダイナミックレンジ情報を基に、バックライト１０８の電流制御する電源回路１０９を介して、バックライト１０８の輝度を制御する。詳しくは、ダイナミックレンジが３００％もしくは４００％の場合はバックライト１０８の輝度を明るくする。
【００２０】
ダイナミックレンジが３００％もしくは４００％の広ダイナミックレンジで撮影された場合は、通常のＢＴ．７０９ガンマに比べ暗くなるため、モニタ側の輝度をあげることが必要になる。Ｓ３０５ではシステム制御部１０１が取得したダイナミックレンジ情報を基にパネル信号処理部１１１にてガンマ補正を行う。
【００２１】
図５に、液晶パネル１０７のガンマ補正ＬＵＴを示す。ＢＴ．７０９はカメラガンマＢＴ．７０９の逆ガンマのγ２．２の特性となっており、輝度リニアに表示する。ＢＴ．７０９（３００％）はＢＴ．７０９に対し、視認性を確保するために中間調を持ち上げて輝度を高くしている。ビデオカメラ本体に付属した小型モニタでは最大輝度が低くダイナミックレンジが狭いためＢＴ．７０９同等の輝度が出せないため、視認性を重視し前記ガンマ補正を行う。
【００２２】
ＢＴ．７０９（４００％）はＢＴ．７０９（３００％）に対し、更に中間調が暗くなるため、中間調を持ち上げて輝度を高くし、逆に高階調側は階調表現を広くするためにガンマを下げる。ガンマ補正部２０４では各ガンマ特性のＬＵＴが格納されており、システム制御部１０１がダイナミックレンジ情報を基にＬＵＴを置き換えることによりガンマ補正を行う。
【００２３】
Ｓ３０６ではシステム制御部１０１が取得したダイナミックレンジ情報を基にダイナミックレンジの違いによる色度のずれをＷＢ補正部２０５にてＬＵＴを使用してホワイトバランス補正を行う。
【００２４】
このように、本実施例の撮像装置によれば、他のカメラで異なるダイナミックレンジで記録された画像を再生する際もメタデータのダイナミックレンジ情報を取得することにより、広ダイナミックレンジで記録された画像毎に、最適なガンマ補正を行いカメラ本体に付属した小型モニタに画像表示を行う事ができる。
【００２５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２６】
１０１  システム制御部、１０２  映像・音声入力部、１０３  映像・音声信号処理部、１０４  記録再生部、１０５  液晶表示部、１０６  タッチパネル、１０７  液晶パネル、１０８  バックライト、１０９  電源回路、１１０  デジタル信号処理部、１１１  パネル信号処理部、１１２  電源スイッチ、１１３  操作スイッチ、１１４  メモリ、１１５  ：メタデータ生成部、２０１  Ｇａｉｎ／シャープネス補正部、２０２  Ｇａｉｎ／色補正部、２０３  マトリクス回路、２０４  ガンマ補正部、２０５  ＷＢ補正部
【図１】
2018056611.tif 000003
【図２】
2018056611.tif 000004
【図３】
2018056611.tif 000005
【図４】
2018056611.tif 000006
【図５】
2018056611.tif 000007